(57)【要約】【課題】  冷蔵庫内の好みの食品等を取り出しやすくするとともに、冷蔵庫内の冷気の流出を抑制することができる冷蔵庫を提供すること。【解決手段】  開口部を有する断熱箱体と、前記開口部を閉塞する断熱扉と、前記開口部と前記断熱扉との間に設けられ、前記開口部に対して開閉可能に取り付けられた内扉と、を備え、前記内扉は、前記断熱箱体に対して前記断熱扉が閉まっている状態で、前記断熱箱体の内部と前記断熱扉の前記開口部側側面との間を連通する連通孔を設けた。【選択図】      図２
2013148274.tif 000002
【特許請求の範囲】
【請求項１】
開口部を有する断熱箱体と、
前記開口部を閉塞する断熱扉と、
前記開口部と前記断熱扉との間に設けられ、前記開口部に対して開閉可能に取り付けられた内扉と、
を備え、
前記内扉は、前記断熱箱体に対して前記断熱扉が閉まっている状態で、前記断熱箱体の内部と前記断熱扉の前記開口部側側面との間を連通する連通孔を設けたことを特徴とする冷蔵庫。
【請求項２】
請求項１に記載の冷蔵庫において、
前記内扉に前記開口部と前記断熱扉側とを区切る遮蔽板を設け、
前記連通孔は、前記遮蔽板に複数設けられていることを特徴とする冷蔵庫。
【請求項３】
請求項２に記載の冷蔵庫において、
前記遮蔽板の熱伝導率は、空気の熱伝導率よりも高いことを特徴とする冷蔵庫。
【請求項４】
請求項２または請求項３に記載の冷蔵庫において、
前記遮蔽板の前記断熱扉側に、食品および／または飲料を収容可能な収容ケースを設けたことを特徴とする冷蔵庫。
【請求項５】
請求項１に記載の冷蔵庫において、
前記内扉は枠状の形状であって、枠内に食品および／または飲料を収容可能な収容ケースを設けたことを特徴とする冷蔵庫。
【発明の詳細な説明】
【技術分野】
【０００１】
本発明は、断熱箱体内に冷気を充填し、内部を冷却する冷蔵庫に関する。
【背景技術】
【０００２】
この種の技術としては、下記の特許文献１に記載の技術が開示されている。この公報には、冷蔵室の開口部を閉塞する冷蔵室扉に形成され冷蔵室の開口部よりも十分小さな開口部に、小扉を設けたものが開示されている。この小扉の内側には収納ポケットが設けられており、収納ポケットに食品飲料等を収納することが可能となっている。ここに収納した食品等を取り出すときには、冷蔵室扉を開くことなく、小扉を開くことによって食品等を取り出すことができ、冷蔵室内の冷気が外部への流出を抑制している。
【先行技術文献】
【特許文献】
【０００３】
【特許文献１】特開２００３−１８５３３１号公報
【発明の概要】
【発明が解決しようとする課題】
【０００４】
しかしながら、小扉に対応する位置に好みの食品等が収納されているとは限らず、また実際は冷蔵庫内に実際に収納されている食品等を見てから手に取る場合も多い。そのため、結局は冷蔵室扉を開くこととなり、冷蔵室内の冷気の流出を抑制することができない。
【０００５】
冷蔵室扉を開く回数を抑制するためには、冷蔵室扉に形成した開口部を大きくし、それに合わせて小扉も大きく形成することにより、小扉から取り出せる冷蔵庫内の食品等の種類を増やせば良い。しかし、これでは小扉を開いたときに冷蔵庫内の冷気の流出を十分に抑制できない。
本発明は上記問題に着目してなされたもので、その目的とするところは、冷蔵庫内の好みの食品等を取り出しやすくするとともに、冷蔵庫内の冷気の流出を抑制することができる冷蔵庫を提供することである。
【課題を解決するための手段】
【０００６】
上記目的を達成するため本願発明では、開口部を有する断熱箱体と、前記開口部を閉塞する断熱扉と、前記開口部と前記断熱扉との間に設けられ、前記開口部に対して開閉可能に取り付けられた内扉と、を備え、前記内扉は、前記断熱箱体に対して前記断熱扉が閉まっている状態で、前記断熱箱体の内部と前記断熱扉の前記開口部側側面との間を連通する連通孔を設けた。
【発明の効果】
【０００７】
本発明により、冷蔵室内の温度上昇を抑制することができ、冷却のための電力を抑制することで冷蔵庫の省電力化を図ることができる。
【図面の簡単な説明】
【０００８】
【図１】実施例１の冷蔵庫の正面図である。
【図２】実施例１の冷蔵室扉を開いた状態の冷蔵庫の正面図である。
【図３】実施例１の冷蔵室扉および内扉を開いた状態の冷蔵庫の上斜視図である。
【図４】実施例１の内扉を開いた状態の冷蔵庫の右斜視図である。
【図５】実施例１の冷蔵室扉および内扉を開いた状態の冷蔵庫の右斜視図である
【図６】実施例１の冷蔵室扉を開いた状態の冷蔵庫の右斜視図である。
【図７】実施例１の冷蔵室扉および内扉を開いた状態の冷蔵庫の右斜視図である。
【図８】他の実施例の内扉を開いた状態の冷蔵庫の右斜視図である。
【図９】他の実施例の冷蔵扉および内扉を開いた状態の冷蔵庫の右斜視図である。
【図１０】他の実施例の冷蔵室扉および内扉を開いた状態の冷蔵庫の上斜視図である。
【図１１】他の実施例の冷蔵室扉を開いた状態の冷蔵庫の右斜視図である。
【図１２】他の実施例の冷蔵室扉および内扉を開いた状態の冷蔵庫の右斜視図である。
【発明を実施するための形態】
【０００９】
〔実施例１〕
実施例１の冷蔵庫1について説明する。
［全体構成］
図１は冷蔵庫1の正面図、図２は冷蔵室扉7を開いた状態の冷蔵庫1の正面図、図３は冷蔵室扉7および内扉8を開いた状態の冷蔵庫1の上斜視図、図４は内扉8を開いた状態の冷蔵庫1の右斜視図、図５は冷蔵室扉７および内扉8を開いた状態の冷蔵庫1の右斜視図である。
【００１０】
冷蔵庫1は、冷蔵庫1の上部に設けられ最も大きな体積を有する冷蔵室2と、冷蔵室2の正面左下部に設けられ製氷および貯氷を行う製貯氷室3と、冷蔵室2の正面右下部に設けられ設定温度を切り替え可能な切替室4と、製貯氷室3および切替室4の下部に設けられ野菜等比較的大型の食品を収容する野菜室5と、冷蔵庫1の最下部に設けられ冷凍食品等を収容する冷凍室6とを有している。
【００１１】
冷蔵庫1の本体1aは、外箱と内箱との間に断熱材を発泡充填した断熱箱体として形成されており、内部は冷蔵室2、製貯氷室3、切替室4、野菜室5に区切られ、各室の前方側は開口している。冷蔵室2の開口部2aには、この開口部2aを閉塞する冷蔵室扉7a,7bが観音開き状に左右に開くようになっている。冷蔵室扉7は、外板と内板との間に断熱材を発泡充填した断熱扉として形成されている。製貯氷室3、切替室4、野菜室5、冷凍室6には、それぞれの室内の閉塞する扉と一体にケースが収容されており、扉を前方向にスライドすることでケース内に収用した食品や飲料などを取り出すことができる。この扉も外板と内板との間に断熱材を発泡充填した断熱扉として形成されている。
【００１２】
［冷蔵室の構成］
冷蔵室2の内部は、複数の棚20が設けられており、各棚20には食品等を収容可能になっている。また棚20の最下部にはスライドケース21が設けられており、スライドケース21をスライドすることで、内部に食品等を収容可能になっている。
冷蔵室扉7の冷蔵室2側には、食品等を収容可能な収容ケース70が設けられている。この収容ケース70には、おもに卵、チューブ調味料といった小型の食品や、ペットボトル、缶、ビン、紙パックに充填された飲料が収容される。
【００１３】
冷蔵室2の開口部2aと冷蔵室扉７との間には、開口部2aに対して開閉可能に取り付けられた内扉8が設けられている。内扉8は冷蔵扉7と一体に右に開くことができる。内扉8には、冷蔵室2の開口部2aと冷蔵室扉7とを区切る遮蔽板80が設けられている。この遮蔽板80は、熱伝導率が高い材料により形成されており、その熱伝導率は少なくとも空気の熱伝導率よりも高いものが用いられている。また遮蔽板80には、冷蔵室2の開口部2aから冷蔵室扉7へ貫通する円形の連通孔81が複数形成されている。
【００１４】
遮蔽板80の冷蔵室扉7側には、食品等を収容可能な収容ケース82が設けられている。この収容ケース82には、主に卵、チューブ調味料といった小型の食品や、ペットボトル、缶、ビン、紙パックに充填された飲料が収容される。
【００１５】
［作用］
冷蔵室扉を開いたときに冷蔵室内の冷気が外部へ流出することを抑制するために、従来から様々な方法が用いられている。
例えば、冷蔵室の開口部にビニールカーテンを設置することで、冷蔵室内の冷気が外部に流出することを抑制しているものがある。この場合、冷蔵室内の食品等を探すために冷蔵室扉を開いた後にビニールカーテンを開かなければならないため、冷蔵室扉の開放時間が長くなり、冷蔵室内の冷気が外部に流出することを十分に抑制することができるものではなかった。またビニールカーテンが冷蔵室内と冷蔵室扉とを遮断しているため、冷蔵室扉側に設けた収容ケース側へ冷気が十分に送られず、収容ケースに収容した食品等の温度を十分に低下させることができないことがあった。
【００１６】
また別の例では、冷蔵室扉に形成した開口部を閉塞する小扉を設け、冷蔵室扉を開くことなく小扉から冷蔵室扉の収容ケースに収容された食品等を取り出すようにすることで、冷蔵室内の冷気が外部に流出することを抑制しているものがある。この場合、小扉に対応する位置に好みの食品飲料等が収納されているとは限らず、また実際は冷蔵庫内に実際に収納されている食品飲料等を見てから手に取る場合も多い。そのため、結局は冷蔵室扉を開くこととなり、冷蔵室内の冷気の流出を十分に抑制することができない。
【００１７】
実施例１では、内扉8に冷蔵室2の開口部2aと冷蔵室扉7とを区切る遮蔽板80を設け、この遮蔽板80に連通孔81を複数設けた。冷蔵室扉7を開いても遮蔽板80により冷蔵室2の開口部2aから冷気が外部に流出することを抑制することができる。さらに連通孔81によって冷蔵室2から冷蔵室扉7側に冷気を送ることができる。
【００１８】
また実施例１では、遮蔽板80の熱伝導率を空気の熱伝導率よりも高くした。よって、冷蔵室扉7側の空気を冷却することができる。
【００１９】
さらに実施例１では、遮蔽板80の冷蔵室扉7側に食品等を収容可能な収容ケース82を形成した。冷蔵室扉7を開くと、冷蔵室扉7に収容された収容ケース70と遮熱板80に形成された収容ケース82とにより、食品等の収容スペースが確保されている。そのため、頻繁に出し入れする飲料等を中心に収容ケース70,82に収容しておくことにより、内扉8を開く回数を少なくすることができる。
【００２０】
［効果］
（１）開口部2aを有する冷蔵室2（断熱箱体）と、冷蔵室2の開口部2aを閉塞する冷蔵室扉7（断熱扉）と、冷蔵室2の開口部2aと冷蔵室扉7との間に設けられ、冷蔵室2の開口部2aに対して開閉可能に取り付けられた内扉8と、を備え、内扉8は、冷蔵室2に対して冷蔵室扉7が閉まっている状態で、冷蔵室2の内部と冷蔵室扉7の開口部側側面との間を連通する連通孔81を設けた。
よって、冷蔵室扉7を開いても内扉8により冷蔵室2の開口部2aから冷気が外部に流出することを抑制することができ、冷蔵室扉7を閉じているときには連通孔81によって冷蔵室2から冷蔵室扉7側に冷気を送ることができる。したがって、冷蔵室扉7を開いて好みの食品等を取り出しやすくするとともに、冷蔵室2内の温度上昇を抑制することができ、冷却のための電力を抑制することで冷蔵庫1の省電力化を図ることができる。さらに冷蔵室扉7に設けた収容ケース70に収容された食品等の温度を十分に低下させることができる。
【００２１】
（２）内扉8に冷蔵室2の開口部2aと冷蔵室扉7側とを区切る遮蔽板80を設け、連通孔81を遮蔽板80に複数設けた。
よって、遮蔽板80により冷蔵室2の開口部2aから冷気が外部に流出することを抑制することができる。したがって、冷蔵室2内の温度上昇を抑制することができ、冷却のための電力を抑制することで冷蔵庫1の省電力化を図ることができる。
【００２２】
（３）遮蔽板80の熱伝導率を、空気の熱伝導率よりも高いものとした。
よって、冷蔵室扉7側の空気を冷却することができ、冷蔵室扉7に設けた収容ケース70に収容された食品等の温度を十分に低下させることができる。
【００２３】
（４）遮蔽板80の冷蔵室扉7側に、食品、飲料等を収容可能な収容ケース82を設けた。
よって、冷蔵扉7を開けば、内扉8を閉じた状態でも食品等の収容スペースが確保することができるため、内扉8を開く回数を少なくすることができ、冷蔵室2の開口部2aから冷気が外部に流出することを抑制することができる。したがって、冷蔵室2内の温度上昇を抑制することができ、冷却のための電力を抑制することで冷蔵庫1の省電力化を図ることができる。
【００２４】
〔実施例２〕
実施例２の冷蔵項1について説明する。実施例１の冷蔵庫1は内扉8に遮蔽板80を設けていたが、実施例２の冷蔵庫1は内扉8に遮蔽板を設けず、収容ケース82のみを設けるようにした。以下では、実施例１と同じ構成については同一の符号を付して、説明を省略する。
図６は冷蔵室扉7を開いた状態の冷蔵庫1の右斜視図、図７は冷蔵室扉7および内扉8を開いた状態の冷蔵庫1の右斜視図である。
【００２５】
冷蔵室2の開口部2aには、この開口部2aを閉塞する冷蔵室扉7が右に開くようになっている。なお実施例２では、冷蔵室扉7は右に開くようになっているが、左に開くようになっていても良いし、左右どちらでも開くようになっていても良いし、実施例１のように観音開き状に左右に開閉するものであっても良く、特に限定しない。冷蔵室扉7は、外板と内板との間に断熱材を発泡充填した断熱扉として形成されている。
【００２６】
冷蔵室2の開口部2aと冷蔵室扉７との間には、開口部2aに対して開閉可能に取り付けられた内扉8が設けられている。内扉8は枠状の形状をしており、この枠内に横方向にわたって、食品等を収容可能な収容ケース82が設けられている。この収容ケース82には、主に卵、チューブ調味料といった小型の食品や、ペットボトル、缶、ビン、紙パックに充填された飲料が収容される。
【００２７】
［作用］
実施例２では、内扉8の枠内に横方向にわたって収容ケース82が設けられ、この収容ケース82に食品等が収容されるようにした。収容ケース82に収容した食品等が壁となって、冷蔵室2の開口部2aから冷気が外部に流出することを抑制しつつ、食品等の間から冷蔵室2から冷蔵室扉7側に冷気を送ることができる。
【００２８】
［効果］
（５）内扉8は枠状の形状であって、枠内に食品および／または飲料を収容可能な収容ケース70を設けた。
よって、収容ケース82に収容した食品等が壁となって、冷蔵室2の開口部2aから冷気が外部に流出することを抑制しつつ、食品等の間から冷蔵室2から冷蔵室扉7側に冷気を送ることができる。したがって、冷蔵室2内の温度上昇を抑制することができ、冷却のための電力を抑制することで冷蔵庫2の省電力化を図りつつ、冷蔵室扉7に設けた収容ケース70に収容された食品等の温度を十分に低下させることができる。
【００２９】
〔他の実施例〕
以上、本発明を実施例１，２に基づいて説明してきたが、各発明の具体的な構成は実施例１，２に限定されるものではなく、発明の要旨を逸脱しない範囲の設計変更等があっても、本発明に含まれる。
【００３０】
（遮蔽板の連通孔形状の変更）
図８は内扉8を開いた状態の冷蔵庫1の右斜視図、図９は冷蔵扉7および内扉8を開いた状態の冷蔵庫1の右斜視図である。
実施例１の冷蔵庫１では、遮蔽板80に形成した連通孔81を円形に形成していたが、図８，９に示すように連通孔81を横方向に長い長方形に形成しても良く、連通孔81の形状は特に限定しない。
【００３１】
（内扉の形状の変更）
図１０は冷蔵室扉7および内扉8を開いた状態の冷蔵庫1の上斜視図、図１１は冷蔵室扉7を開いた状態の冷蔵庫1の右斜視図、図１２は冷蔵室扉７および内扉8を開いた状態の冷蔵庫1の右斜視図である。
実施例１，２の冷蔵庫１では内扉８は右に開くように形成していたが、図１０ないし図１２に示すように内扉8a,8bは観音開き状に左右に開くようにしても良く、内扉８の開く方式については特に限定しない。
図１０ないし図１２に示すように、内扉8a,8bが左右に開くようにした場合、一方の内扉8のみを開くことで冷蔵室2内の食品等を取り出すことができ、冷蔵室2の開口部2aから冷気が外部に流出することを抑制し、冷蔵室2内の温度上昇を抑制することができ、冷却のための電力を抑制することで冷蔵庫2の省電力化を図ることができる。
（冷蔵庫の室数の変更）
実施例１，２では冷蔵室2、製貯氷室3、切替室4、野菜室5、冷凍室6の5室を有する冷蔵庫1について記載したが、5室に限らず、例えば冷蔵室の1室のみのものでも良いし、冷蔵室と冷凍室の2室のものでも良いし、特に限定しない。また各室の位置も特に限定しない。
【符号の説明】
【００３２】
1    冷蔵庫
2    冷蔵室（断熱箱体）
2a    開口部
7    冷蔵室扉（断熱扉）
8    内扉
80    遮蔽板
81    連通孔
82    収容ケース
【図１】
2013148274.tif 000003
【図２】
2013148274.tif 000004
【図３】
2013148274.tif 000005
【図４】
2013148274.tif 000006
【図５】
2013148274.tif 000007
【図６】
2013148274.tif 000008
【図７】
2013148274.tif 000009
【図８】
2013148274.tif 000010
【図９】
2013148274.tif 000011
【図１０】
2013148274.tif 000012
【図１１】
2013148274.tif 000013
【図１２】
2013148274.tif 000014